(57)【特許請求の範囲】
【請求項１】
紙葉類の束が投入される投入部と、
前記投入部に投入された紙葉類の繰り出しを行う繰出部と、
前記投入部に投入された紙葉類の束に含まれる金属を検知するための金属検知部と、
前記投入部への操作者のアクセスを検知するためのアクセス検知部と、
前記アクセス検知部が前記投入部への操作者のアクセスを検知していない状態で前記金属検知部により金属が検知されたときに前記投入部に投入された紙葉類の束に金属が含まれていると判定する判定手段と、
を備えた、紙葉類投入機構。
【請求項２】
前記投入部に投入された紙葉類の束に金属が含まれていると前記判定手段により判定されたときに当該判定手段による判定結果に関する情報を出力する出力手段を更に備えた、請求項１記載の紙葉類投入機構。
【請求項３】
前記判定手段は、前記アクセス検知部が前記投入部への操作者のアクセスを検知している状態で前記金属検知部により金属が検知されたときに前記投入部に投入された紙葉類の束に金属が含まれていると判定しない、請求項１または２記載の紙葉類投入機構。
【請求項４】
前記アクセス検知部が前記投入部への操作者のアクセスを検知しているときには前記金属検知部が作動しないようになっている、請求項１乃至３のいずれか一項に記載の紙葉類投入機構。
【請求項５】
前記投入部に投入された紙葉類の束に金属が含まれていると前記判定手段により判定されたときに前記繰出部による紙葉類の繰出動作が停止するようになっている、請求項１乃至４のいずれか一項に記載の紙葉類投入機構。
【請求項６】
前記投入部に投入された紙葉類の束に金属が含まれていると前記判定手段により判定されている状態では、停止されている前記繰出部が動作しないようになっている、請求項１乃至５のいずれか一項に記載の紙葉類投入機構。
【請求項７】
前記アクセス検知部は、発光素子および受光素子を含む光センサを有しており、前記発光素子から発せられた光が前記受光素子により受けられる際の当該光の経路の少なくとも一部が前記投入部に位置しており、前記発光素子から発せられた光が遮断されて前記受光素子により受けられなくなったときに前記投入部への操作者のアクセスが検知される、請求項１乃至６のいずれか一項に記載の紙葉類投入機構。
【請求項８】
紙葉類の束が投入される投入部、前記投入部に投入された紙葉類の繰り出しを行う繰出部、前記投入部に投入された紙葉類の束に含まれる金属を検知するための金属検知部、および前記投入部への操作者のアクセスを検知するためのアクセス検知部を含む紙葉類投入機構と、
前記紙葉類投入機構により機体内に投入された紙葉類の処理を行う紙葉類処理部と、
前記アクセス検知部が前記投入部への操作者のアクセスを検知していない状態で前記金属検知部により金属が検知されたときに前記投入部に投入された紙葉類の束に金属が含まれていると判定する判定手段と、
を備えた、紙葉類処理装置。
【請求項９】
前記投入部に投入された紙葉類の束に金属が含まれていると前記判定手段により判定されたときに当該判定手段による判定結果に関する情報を出力する出力手段を更に備えた、請求項８記載の紙葉類処理装置。
【請求項１０】
紙葉類の束が投入される投入部、前記投入部に投入された紙葉類の繰り出しを行う繰出部、前記投入部に投入された紙葉類の束に含まれる金属を検知するための金属検知部、および前記投入部への操作者のアクセスを検知するためのアクセス検知部を含む紙葉類投入機構と、前記紙葉類投入機構により機体内に投入された紙葉類の処理を行う紙葉類処理部とを有する紙葉類処理装置と、
前記紙葉類処理装置とは別に設けられ、当該紙葉類処理装置の管理を行う管理装置と、
を備えた紙葉類処理システムであって、
前記紙葉類処理装置において前記アクセス検知部が前記投入部への操作者のアクセスを検知していない状態で前記金属検知部により金属が検知されたときに前記投入部に投入された紙葉類の束に金属が含まれていると判定する判定手段を備えた、紙葉類処理システム。
【請求項１１】
前記判定手段は前記管理装置に設けられている、請求項１０記載の紙葉類処理システム。
【請求項１２】
前記投入部に投入された紙葉類の束に金属が含まれていると前記判定手段により判定されたときに当該判定手段による判定結果に関する情報を出力する出力手段を更に備えた、請求項１０または１１記載の紙葉類処理システム。
【請求項１３】
前記出力手段は前記管理装置に設けられている、請求項１２記載の紙葉類処理システム。
【請求項１４】
投入部に投入された紙葉類の繰り出しを行う工程と、
前記投入部に投入された紙葉類の束に含まれる金属を金属検知部により検知する工程と、
前記投入部への操作者のアクセスを検知する工程と、
前記投入部への操作者のアクセスを検知していない状態で前記金属検知部により金属が検知されたときに前記投入部に投入された紙葉類の束に金属が含まれていると判定する工程と、
を備えた、紙葉類処理方法。
【発明の詳細な説明】
【技術分野】
【０００１】
本発明は、投入された紙葉類の繰り出しを行う紙葉類投入機構、このような紙葉類投入機構を備えた紙葉類処理装置、このような紙葉類処理装置を備えた紙葉類処理システムおよび投入された紙葉類の繰り出しを行う紙葉類処理方法に関する。
【背景技術】
【０００２】
紙幣や商品券等の紙葉類の入金処理や入出金処理を行う紙葉類処理装置では、顧客やテラー等の操作者によって投入部に紙葉類の束が投入され、投入部に投入された紙葉類は当該投入部に設けられた繰出ローラ等の繰出部により１枚ずつ紙葉類処理装置の機体内に繰り出されるようになっている。ここで、投入部に投入される紙葉類の束に誤って硬貨やクリップ等の金属が含まれてしまっている場合には、このような金属が紙葉類とともに繰出部によって紙葉類処理装置の機体内に繰り出されてしまうため、紙葉類のジャムや装置の故障といったトラブルが発生してしまう。このようなトラブルの発生を防止するために、特許文献１には、投入部に投入される紙幣の束に含まれる金属を検知するための混入金属検知装置を備えた紙幣入金機が開示されている。
【０００３】
特許文献１に開示される紙幣入金機では、紙幣載置板上に載置された紙幣を１枚ずつ繰り出す繰出部機構において紙幣載置板に検知コイルを設け、検知コイルにて検出された検出値をサンプリングすることにより紙幣載置板の近傍に混入金属が存在するか否かを検知するようになっている。そして、紙幣載置板の近傍に混入金属が存在することが検知されると、繰出部機構による紙幣の繰出動作が停止するとともに警告部機構からアラームを光や音により報知し、金属が混入した紙幣の束を紙幣載置板から除去することを操作者に促すようになっている。
【先行技術文献】
【特許文献】
【０００４】
【特許文献１】特許第３１９９６０５号
【発明の概要】
【発明が解決しようとする課題】
【０００５】
特許文献１等に開示される従来の紙幣入金機では、大量の紙幣を処理する際に繰出部機構に残留する紙幣が減ってくると操作者は当該繰出部機構に新たな紙幣の束を手で投入して繰出部機構による紙幣の繰出動作を連続的に行わせる場合がある。しかしながら、紙幣の追加投入を行う操作者の手に金属製の装飾品（例えば、指輪や腕時計等）が装着されていると、このような操作者の手に装着されている金属製の装飾品も検知コイルで検出されてしまい、繰出部機構に投入される紙幣の束に金属が含まれていないにもかかわらず、紙幣の繰出動作が停止したり光や音によりアラームが報知されたりするおそれがあった。この場合には、操作者は存在しない混入異物（金属）を探すことになってしまい困惑してしまう。更には、繰出部機構による紙幣の繰出動作を再開させるのに所定の操作が必要となるため、作業性が悪いという問題がある。
【０００６】
本発明は、このような点を考慮してなされたものであり、投入部に紙葉類の投入を行う操作者の手に金属製の装飾品が装着されている場合に、投入部に投入された紙葉類の束に金属が含まれていると誤って判定されてしまうことを防止することができる紙葉類投入機構、紙葉類処理装置、紙葉類処理システムおよび紙葉類処理方法を提供することを目的とする。
【課題を解決するための手段】
【０００７】
本発明の紙葉類投入機構は、紙葉類の束が投入される投入部と、前記投入部に投入された紙葉類の繰り出しを行う繰出部と、前記投入部に投入された紙葉類の束に含まれる金属を検知するための金属検知部と、前記投入部への操作者のアクセスを検知するためのアクセス検知部と、前記アクセス検知部が前記投入部への操作者のアクセスを検知していない状態で前記金属検知部により金属が検知されたときに前記投入部に投入された紙葉類の束に金属が含まれていると判定する判定手段と、を備えたことを特徴とする。
【０００８】
このような紙葉類投入機構によれば、投入部への操作者のアクセスを検知していない状態で金属検知部により金属が検知されたときに投入部に投入された紙葉類の束に金属が含まれていると判定することにより、投入部に紙葉類の投入を行う操作者の手に金属製の装飾品が装着されている場合に、投入部に投入された紙葉類の束に金属が含まれていると誤って判定されてしまうことを防止することができる。
【０００９】
本発明の紙葉類投入機構は、前記投入部に投入された紙葉類の束に金属が含まれていると前記判定手段により判定されたときに当該判定手段による判定結果に関する情報を出力する出力手段を更に備えていてもよい。
【００１０】
本発明の紙葉類投入機構においては、前記判定手段は、前記アクセス検知部が前記投入部への操作者のアクセスを検知している状態で前記金属検知部により金属が検知されたときに前記投入部に投入された紙葉類の束に金属が含まれていると判定しないようになっていてもよい。
【００１１】
本発明の紙葉類投入機構においては、前記アクセス検知部が前記投入部への操作者のアクセスを検知しているときには前記金属検知部が作動しないようになっていてもよい。
【００１２】
本発明の紙葉類投入機構においては、前記投入部に投入された紙葉類の束に金属が含まれていると前記判定手段により判定されたときに前記繰出部による紙葉類の繰出動作が停止するようになっていてもよい。
【００１３】
本発明の紙葉類投入機構においては、前記投入部に投入された紙葉類の束に金属が含まれていると前記判定手段により判定されている状態では、停止されている前記繰出部が動作しないようになっていてもよい。
【００１４】
本発明の紙葉類投入機構においては、前記アクセス検知部は、発光素子および受光素子を含む光センサを有しており、前記発光素子から発せられた光が前記受光素子により受けられる際の当該光の経路の少なくとも一部が前記投入部に位置しており、前記発光素子から発せられた光が遮断されて前記受光素子により受けられなくなったときに前記投入部への操作者のアクセスが検知されるようになっていてもよい。
【００１５】
本発明の紙葉類処理装置は、紙葉類の束が投入される投入部、前記投入部に投入された紙葉類の繰り出しを行う繰出部、前記投入部に投入された紙葉類の束に含まれる金属を検知するための金属検知部、および前記投入部への操作者のアクセスを検知するためのアクセス検知部を含む紙葉類投入機構と、前記紙葉類投入機構により機体内に投入された紙葉類の処理を行う紙葉類処理部と、前記アクセス検知部が前記投入部への操作者のアクセスを検知していない状態で前記金属検知部により金属が検知されたときに前記投入部に投入された紙葉類の束に金属が含まれていると判定する判定手段と、を備えたことを特徴とする。
【００１６】
このような紙葉類処理装置によれば、紙葉類投入機構の投入部への操作者のアクセスを検知していない状態で金属検知部により金属が検知されたときに投入部に投入された紙葉類の束に金属が含まれていると判定することにより、投入部に紙葉類の投入を行う操作者の手に金属製の装飾品が装着されている場合に、投入部に投入された紙葉類の束に金属が含まれていると誤って判定されてしまうことを防止することができる。
【００１７】
本発明の紙葉類処理装置は、前記投入部に投入された紙葉類の束に金属が含まれていると前記判定手段により判定されたときに当該判定手段による判定結果に関する情報を出力する出力手段を更に備えていてもよい。
【００１８】
本発明の紙葉類処理システムは、紙葉類の束が投入される投入部、前記投入部に投入された紙葉類の繰り出しを行う繰出部、前記投入部に投入された紙葉類の束に含まれる金属を検知するための金属検知部、および前記投入部への操作者のアクセスを検知するためのアクセス検知部を含む紙葉類投入機構と、前記紙葉類投入機構により機体内に投入された紙葉類の処理を行う紙葉類処理部とを有する紙葉類処理装置と、前記紙葉類処理装置とは別に設けられ、当該紙葉類処理装置の管理を行う管理装置と、を備えた紙葉類処理システムであって、前記紙葉類処理装置において前記アクセス検知部が前記投入部への操作者のアクセスを検知していない状態で前記金属検知部により金属が検知されたときに前記投入部に投入された紙葉類の束に金属が含まれていると判定する判定手段を備えたことを特徴とする。
【００１９】
このような紙葉類処理システムによれば、紙葉類処理装置における紙葉類投入機構の投入部への操作者のアクセスを検知していない状態で金属検知部により金属が検知されたときに投入部に投入された紙葉類の束に金属が含まれていると判定することにより、投入部に紙葉類の投入を行う操作者の手に金属製の装飾品が装着されている場合に、投入部に投入された紙葉類の束に金属が含まれていると誤って判定されてしまうことを防止することができる。
【００２０】
本発明の紙葉類処理システムにおいては、前記判定手段は前記管理装置に設けられていてもよい。
【００２１】
本発明の紙葉類処理システムは、前記投入部に投入された紙葉類の束に金属が含まれていると前記判定手段により判定されたときに当該判定手段による判定結果に関する情報を出力する出力手段を更に備えていてもよい。
【００２２】
この場合、前記出力手段は前記管理装置に設けられていてもよい。
【００２３】
本発明の紙葉類処理方法は、投入部に投入された紙葉類の繰り出しを行う工程と、前記投入部に投入された紙葉類の束に含まれる金属を金属検知部により検知する工程と、前記投入部への操作者のアクセスを検知する工程と、前記投入部への操作者のアクセスを検知していない状態で前記金属検知部により金属が検知されたときに前記投入部に投入された紙葉類の束に金属が含まれていると判定する工程と、を備えたことを特徴とする。
【００２４】
このような紙葉類処理方法によれば、投入部への操作者のアクセスを検知していない状態で金属検知部により金属が検知されたときに投入部に投入された紙葉類の束に金属が含まれていると判定することにより、投入部に紙葉類の投入を行う操作者の手に金属製の装飾品が装着されている場合に、投入部に投入された紙葉類の束に金属が含まれていると誤って判定されてしまうことを防止することができる。
【発明の効果】
【００２５】
本発明の紙葉類投入機構、紙葉類処理装置、紙葉類処理システムおよび紙葉類処理方法によれば、投入部に紙葉類の投入を行う操作者の手に金属製の装飾品が装着されている場合に、投入部に投入された紙葉類の束に金属が含まれていると誤って判定されてしまうことを防止することができる。
【図面の簡単な説明】
【００２６】
【図１】本発明の実施の形態による紙幣処理装置の外観を示す斜視図である。
【図２】図１に示す紙幣処理装置の内部構成を概略的に示す概略構成図である。
【図３】図１や図２に示す紙幣処理装置における制御系の構成を示す機能ブロック図である。
【図４】図１等に示す紙幣処理装置における紙幣投入機構の構成を示す側面図である。
【図５】図４に示す紙幣投入機構を手前側から見たときの構成を示す斜視図である。
【図６】図４等に示す紙幣投入機構の投入部にバラ紙幣の束が投入されたときの状態を示す図である。
【図７】図４等に示す紙幣投入機構において投入部に投入されたバラ紙幣の束に硬貨等の金属が含まれているときの状態を示す図である。
【図８】図４等に示す紙幣投入機構において金属製の装飾品を手に付けた操作者が投入部にバラ紙幣の追加投入を行うときの状態を示す図である。
【図９】図１等に示す紙幣処理装置においてバラ紙幣の入金処理が行われる際の動作を示すフローチャートである。
【発明を実施するための形態】
【００２７】
以下、図面を参照して本発明の実施の形態について説明する。図１乃至図９は、本実施の形態に係る紙幣処理装置、このような紙幣処理装置に設けられた紙幣投入機構およびこのような紙幣処理装置による紙幣処理方法を示す図である。このうち、図１は、本実施の形態による紙幣処理装置の外観を示す斜視図であり、図２は、図１に示す紙幣処理装置の内部構成を概略的に示す概略構成図であり、図３は、図１や図２に示す紙幣処理装置における制御系の構成を示す機能ブロック図である。また、図４は、図１等に示す紙幣処理装置における紙幣投入機構の構成を示す側面図であり、図５は、図４に示す紙幣投入機構を手前側から見たときの構成を示す斜視図である。また、図６乃至図８は、それぞれ、図４等に示す紙幣投入機構の投入部にバラ紙幣の束が投入されている状態を示す図である。また、図９は、図１等に示す紙幣処理装置においてバラ紙幣の入金処理が行われる際の動作を示すフローチャートである。
【００２８】
本実施の形態による紙幣処理装置１は、バラ紙幣の入金処理や出金処理を行うことができるとともに、機体内で所定枚数（例えば、１００枚）のバラ紙幣から帯封紙幣を形成したり帯封紙幣の出金処理を行ったりすることができるようになっている。このような紙幣処理装置１の内部構成の詳細について図１および図２を用いて説明する。図１および図２に示すように、紙幣処理装置１は略直方体形状の筐体１０を有しており、この筐体１０の前面には、筐体１０の外部から内部にバラ紙幣を入金するための投入部１４、筐体１０の内部から外部にバラ紙幣を出金するためのバラ紙幣投出部２４、筐体１０の内部から外部に帯封紙幣を出金するための帯封紙幣投出部４８がそれぞれ設けられている。なお、図２における筐体１０の左側の側面が紙幣処理装置１の前面側（すなわち、図１に示すように紙幣処理装置１を手前側から見たときの正面側）となっており、図２における右方向が筐体１０の奥行き方向となっている。
【００２９】
図１に示すように、投入部１４の前面は筐体１０の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００３０】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１０の内部から外部に取り出すことができるようになる。これらのシャッター２４ａ、４８ａはシャッター駆動部２４ｂ、４８ｂ（図３参照）によりそれぞれ駆動されるようになっている。
【００３１】
なお、本実施の形態による紙幣処理装置１では、バラ紙幣投出部２４は、バラ紙幣の出金処理が行われる際にバラ紙幣を筐体１０の外部に排出するための出金部として機能するとともに、入金処理時に後述する識別部２０により識別することができなかったバラ紙幣や、識別部２０により正常なバラ紙幣ではないと識別されたバラ紙幣を筐体１０の外部に排出するための入金リジェクト部として機能するようになっている。
【００３２】
また、図２に示すように、筐体１０の前面におけるバラ紙幣投出部２４の下方には、紙幣処理装置１においてバラ紙幣の出金処理が行われる際にバラ紙幣投出部２４により筐体１０の外部に出金すべきではないと判断されたバラ紙幣が集積される出金リジェクト部２６が設けられている。出金リジェクト部２６の前面は筐体１０の外部に開口しておらず、操作者は筐体１０から紙幣処理装置１の本体部分を手前側に引き出さない限りこの出金リジェクト部２６にアクセスすることができないようになっている。
【００３３】
図２や図４等に示すように、投入部１４には、当該投入部１４に投入されたバラ紙幣を１枚ずつ筐体１０の内部に繰り出すための繰出部１５が設けられている。このような繰出部１５の構成の詳細については後述する。また、紙幣処理装置１の筐体１０の内部には、当該筐体１０内でバラ紙幣を１枚ずつ搬送する搬送部１８が設けられており、繰出部１５により投入部１４から繰り出されたバラ紙幣は搬送部１８により筐体１０内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００３４】
また、図２に示すように、搬送部１８には入金一時保留部３０および複数（図２に示す例では４つ）のバラ紙幣収納部３２がそれぞれ接続されており、搬送部１８からこれらの入金一時保留部３０や各バラ紙幣収納部３２にバラ紙幣が送られるようになっている。これらの入金一時保留部３０や各バラ紙幣収納部３２には図２における上下方向に移動可能となっているステージ３０ａ、３２ａがそれぞれ設けられており、これらのステージ３０ａ、３２ａ上でバラ紙幣が積層状態で集積されるようになっている。
【００３５】
また、入金一時保留部３０の上端部の近傍には紙幣繰出繰入部３０ｂが設けられており、当該入金一時保留部３０に一時的に保留されているバラ紙幣は紙幣繰出繰入部３０ｂより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各バラ紙幣収納部３２に収納される前に一時的に保留されるようになっている。
【００３６】
また、各バラ紙幣収納部３２の上端部の近傍には紙幣繰出繰入部３２ｂが設けられており、各バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から各バラ紙幣収納部３２にバラ紙幣が１枚ずつ繰り入れられるようになっている。ここで、各バラ紙幣収納部３２には、それぞれ予め設定された特定の金種のバラ紙幣が収納されるようになっている。なお、予め設定された特定の金種のバラ紙幣が収納されるバラ紙幣収納部３２が４つ設けられる代わりに、複数のバラ紙幣収納部３２のうち少なくとも１つのバラ紙幣収納部３２に複数の金種のバラ紙幣が混合状態で収納されるようになっていてもよい。
【００３７】
図１および図２に示すように、筐体１０の下部には前扉１０ａが設けられており、この前扉１０ａを開くことにより操作者は入金一時保留部３０の内部にアクセスすることができるようになっている。また、入金一時保留部３０および各バラ紙幣収納部３２は、筐体１０の内部から手前側に（すなわち、図２における左方向に）引き出し可能となっている引出ユニット１１（図２参照）に収容されている。そして、操作者が前扉１０ａを開いて引出ユニット１１を筐体１０の内部から手前側に引き出すことにより、当該操作者は各バラ紙幣収納部３２を引出ユニット１１から取り外したり装着したりすることができるようになる。
【００３８】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣処理装置１では、所定枚数（例えば、１００枚）のバラ紙幣からなる紙幣束に帯封紙を巻くことにより帯封紙幣を形成する帯封部４２が各整理一時保留部４０の隣に設けられている。
【００３９】
また、図２に示すように、筐体１０の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。
【００４０】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達すると、ステージ４６ａ上から帯封紙幣投出部４８に帯封紙幣を受け渡すことができるようになる。このような状態でシャッター４８ａが開くと、操作者は帯封紙幣投出部４８の内部にアクセスしてこの帯封紙幣投出部４８に集積されている帯封紙幣を筐体１０の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００４１】
図２に示すように、筐体１０の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種のバラ紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００４２】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００４３】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００４４】
ここで、帯封部４２により形成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１０の外部に出金する際には、循環ベルト６０ｂは図２における時計回りの方向に循環移動し、各帯封紙幣収納部７０から上方に押し出された帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが受渡し位置まで下降してこのステージ４６ａ上から帯封紙幣投出部４８に帯封紙幣が受け渡されるようになる。
【００４５】
次に、本実施の形態による紙幣処理装置１における投入部１４や繰出部１５の構成の詳細について図４および図５を用いて説明する。
【００４６】
図４および図５に示すように、投入部１４は、操作者により当該投入部１４に投入された複数のバラ紙幣が積層状態で載置される載置板１４ａを有しており、この載置板１４ａには、繰出部１５における左右一対のキッカローラ１５ｄ（後述）が通る貫通穴が設けられている。このことにより、各キッカローラ１５ｄは載置板１４ａの上面から上方に突出するようになり、載置板１４ａに載置された積層状態の複数のバラ紙幣のうち最下層のバラ紙幣が各キッカローラ１５ｄにより蹴り出されるようになっている。
【００４７】
また、投入部１４の内部には、載置板１４ａ上に紙幣が存在するか否かを検知するための残留検知センサ１４ｂが設けられている。残留検知センサ１４ｂは、投入部１４の内部における紙幣が集積される領域を挟むよう設けられた発光素子および受光素子を含む光センサとなっており、発光素子から発せられた光が載置板１４ａ上に載置されている紙幣によって遮断されて受光素子により受けられなくなっているときに載置板１４ａ上に紙幣が存在することが検知されるようになっている。
【００４８】
繰出部１５は、左右一対のフィードローラ１５ａと、各フィードローラ１５ａに対向するよう設けられ、各フィードローラ１５ａとの間にニップ部を形成する左右一対のゲートローラ１５ｂと、載置板１４ａに載置されたバラ紙幣を各フィードローラ１５ａ側に向かって蹴り出すキッカローラ１５ｃ、１５ｄとを有している。各フィードローラ１５ａは図４における時計回りの方向に回転するようになっており、各ゲートローラ１５ｂは各フィードローラ１５ａと連れ回ることにより図４における反時計回りの方向に回転するようになっている。また、キッカローラ１５ｃは、載置板１４ａに載置されたバラ紙幣の幅方向（すなわち、繰出部１５によるバラ紙幣の繰出方向に直交する方向）に沿って並ぶよう３つ設けられており、各キッカローラ１５ｃは図４における時計回りの方向に回転するようになっている。また、キッカローラ１５ｄは、載置板１４ａに載置されたバラ紙幣の幅方向に沿って並ぶよう２つ設けられており、各キッカローラ１５ｄは図４における時計回りの方向に回転するようになっている。ここで、各キッカローラ１５ｃ、１５ｄは、載置板１４ａに載置された積層状態の複数のバラ紙幣のうち最下層のバラ紙幣を各フィードローラ１５ａ側に向かって蹴り出すようになっており、蹴り出されたこのバラ紙幣は各フィードローラ１５ａと各ゲートローラ１５ｂとの間に形成されるニップ部を通ることにより１枚ずつに分離され、このニップ部を通ったバラ紙幣が筐体１０の内部に繰り出されて搬送部１８に送られるようになっている。
【００４９】
また、図４に示すように、載置板１４ａの裏側（すなわち、バラ紙幣が載置される側とは反対側の面）には、投入部１４に投入されたバラ紙幣の束に含まれる硬貨やクリップ等の金属を検知するための金属検知部１６が設けられている。金属検知部１６としては例えば磁気センサが用いられるようになっているが、他の例として静電容量計が金属検知部１６として用いられるようになっていてもよい。このような磁気センサや静電容量計等からなる金属検知部１６を載置板１４ａの裏側に設けることにより、投入部１４に投入されたバラ紙幣の束に硬貨やクリップ等の金属が含まれているか否かを検知することができるようになる。なお、後述するように、投入部１４にバラ紙幣の束の追加投入を行う操作者の手に金属製の装飾品（例えば、指輪や腕時計等）が装着されている場合には、このような操作者の手に装着されている金属製の装飾品も金属検知部１６で検知されるおそれがある。
【００５０】
また、本実施の形態による紙幣処理装置１では、投入部１４の内部への操作者のアクセスを検知するためのアクセス検知部１７が当該投入部１４の前面開口に設けられている。図４および図５に示す例では、投入部１４の前面開口において上下方向に並ぶよう３つのアクセス検知部１７が設けられており、各アクセス検知部１７は、発光素子１７ａおよび受光素子１７ｂを含む光センサとなっている。そして、各アクセス検知部１７において、発光素子１７ａから発せられた光が受光素子１７ｂにより受けられる際の当該光の経路（図５において二点鎖線で表示）の少なくとも一部が投入部１４に位置している。このような各アクセス検知部１７が投入部１４の前面開口に設けられている場合には、操作者が投入部１４にバラ紙幣の束を投入する際にこのバラ紙幣を持った手を投入部１４の内部に入れると、発光素子１７ａから発せられた光が操作者の手によって遮断されて受光素子１７ｂにより受けられなくなる。そして、各アクセス検知部１７は、発光素子１７ａから発せられた光が受光素子１７ｂにより受けられなくなったときに、投入部１４の内部への操作者のアクセスを検知するようになる。
【００５１】
また、発光素子１７ａおよび受光素子１７ｂを含む光センサからなるアクセス検知部１７を投入部１４の前面開口に設けた場合には、バラ紙幣の束を投入部１４の内部に投入した際に載置板１４ａ上の所定の箇所にバラ紙幣が載置されず、載置板１４ａ上で投入部１４の手前側にバラ紙幣が飛び出してしまったときに、このような載置板１４ａ上で投入部１４の手前側に飛び出したバラ紙幣をアクセス検知部１７によって検知することができるようになる。このことにより、繰出部１５によるバラ紙幣の繰出不良が発生してしまうことを防止することができるようになる。
【００５２】
なお、投入部１４の前面開口に設けられるアクセス検知部１７として、発光素子１７ａおよび受光素子１７ｂを含む光センサを用いる代わりに、投入部１４の前面開口を撮像する撮像カメラやビデオカメラ等を用いてもよい。この場合には、アクセス検知部１７は、撮像カメラやビデオカメラ等により撮像された投入部１４の前面開口の画像や動画に基づいて、投入部１４の内部への操作者のアクセスを検知するようになる。
【００５３】
本実施の形態では、これらの投入部１４、繰出部１５、金属検知部１６およびアクセス検知部１７により、紙幣処理装置１の筐体１０の外部から内部にバラ紙幣を投入するための紙幣投入機構１２が構成されている。
【００５４】
また、本実施の形態による紙幣処理装置１では、上記の搬送部１８、識別部２０、表裏反転部２２、入金一時保留部３０、各バラ紙幣収納部３２、帯封部４２、アーム機構４４、帯封紙幣揚送部４６、帯封紙幣搬送部６０、帯封紙幣収納部７０等により、紙幣投入機構１２により機体内に投入されたバラ紙幣の処理を行う紙幣処理部が構成されている。
【００５５】
また、本実施の形態の紙幣処理装置１には、当該紙幣処理装置１の各構成部材の制御を行う制御部８０が設けられている。より詳細には、図３に示すように、制御部８０には、紙幣処理装置１の投入部１４、繰出部１５、金属検知部１６、アクセス検知部１７、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、各バラ紙幣収納部３２（具体的には、各バラ紙幣収納部３２に設けられたステージ３２ａの駆動機構（図示せず）や紙幣繰出繰入部３２ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部８０に送られるとともに、制御部８０は紙幣処理装置１の各構成部材に指令信号を送ることによりこれらの構成部材の動作を制御するようになっている。
【００５６】
また、図３に示すように、制御部８０には操作表示部８２、記憶部８４、判定手段８６および通信インターフェース部８８がそれぞれ通信可能に接続されている。操作表示部８２は紙幣処理装置１の前面や上面に設けられたタッチパネル等からなり、当該操作表示部８２には、紙幣処理装置１における紙幣の処理状況や、各バラ紙幣収納部３２や各帯封紙幣収納部７０に収納されているバラ紙幣や帯封紙幣の在高等に関する情報が表示されるようになっている。また、操作者は操作表示部８２により制御部８０に対して様々な指令を与えることができるようになっている。
【００５７】
記憶部８４には、紙幣処理装置１における紙幣の処理履歴や、各バラ紙幣収納部３２や各帯封紙幣収納部７０に収納されているバラ紙幣や帯封紙幣の在高等に関する情報が記憶されるようになっている。
【００５８】
判定手段８６は、金属検知部１６による検知結果およびアクセス検知部１７による検知結果に基づいて、投入部１４に投入されたバラ紙幣の束に金属が含まれているか否かを判定するようになっている。具体的には、判定手段８６は、アクセス検知部１７が投入部１４の内部への操作者のアクセスを検知していない状態で金属検知部１６により金属が検知されたときに投入部１４に投入されたバラ紙幣の束に金属が含まれていると判定する。また、判定手段８６は、アクセス検知部１７が投入部１４の内部への操作者のアクセスを検知している状態で金属検知部１６により金属が検知されたときには投入部１４に投入されたバラ紙幣の束に金属が含まれていると判定しない。このような技術的事項により、操作者が投入部１４にバラ紙幣の束の追加投入を行う際に当該操作者の手に金属製の装飾品が装着されているときでも、投入部１４に投入されたバラ紙幣の束に金属が含まれていると誤って判定されてしまうことを防止することができる。このような判定手段８６による判定方法の詳細については後述する。
【００５９】
また、制御部８０は通信インターフェース部８８を介して本実施の形態による紙幣処理装置１とは別に設けられた上位端末としての管理装置１００に対して信号の送受信を行うことができるようになっている。なお、本実施の形態では、紙幣処理装置１と管理装置１００との間で信号の送受信を行うことによって、管理装置１００は紙幣処理装置１の管理を行うことができるようになっている。また、このような紙幣処理装置１および管理装置１００を組み合わせることにより、紙幣の処理を行う紙幣処理システムが構成されている。
【００６０】
また、本実施の形態による紙幣処理装置１では、制御部８０は、投入部１４に投入されたバラ紙幣の束に金属が含まれていると判定手段８６により判定されたときに当該判定手段８６による判定結果に関する情報を出力する出力手段として機能するようになっている。このような出力手段として機能する制御部８０により出力された情報は、例えば操作表示部８２に表示されたり、記憶部８４に記憶されたり、あるいは通信インターフェース部８８を介して上位端末としての管理装置１００に送信されたりするようになっている。また、制御部８０は、投入部１４に投入されたバラ紙幣の束に金属が含まれていると判定手段８６により判定されたときに繰出部１５によるバラ紙幣の繰出動作を停止させるよう当該繰出部１５の制御を行うようになっている。さらに、制御部８０は、投入部１４に投入されたバラ紙幣の束に金属が含まれていると判定手段８６により判定されている状態では、停止されている繰出部１５が動作しないよう当該繰出部１５の制御を行うようになっている。このような制御部８０による繰出部１５の制御内容の詳細については後述する。
【００６１】
次に、このような構成からなる紙幣処理装置１においてバラ紙幣の入金処理が行われる際の動作について図６乃至図８に示す紙幣投入機構１２の側面図および図９に示すフローチャートを用いて説明する。
【００６２】
本実施の形態による紙幣処理装置１が待機状態となっているときに、図６に示すように操作者が投入部１４にバラ紙幣の束を投入した後、入金処理開始の指令を操作者が操作表示部８２により入力したり上位端末等の外部装置から通信インターフェース部８８を介して制御部８０に入金処理開始の指令が送信されたりすることにより制御部８０に入金処理開始の指令が与えられると（ＳＴＥＰ１の「ＹＥＳ」）、紙幣処理装置１において紙幣の入金処理が開始される。具体的には、投入部１４にバラ紙幣が存在することが残留検知センサ１４ｂにより検知されている状態で（ＳＴＥＰ２の「ＹＥＳ」）、金属検知部１６により金属が検知されていない場合には（ＳＴＥＰ３の「ＮＯ」）、投入部１４に投入されたバラ紙幣は繰出部１５により１枚ずつ筐体１０内に繰り出され（ＳＴＥＰ４）、搬送部１８により１枚ずつ搬送される。そして、搬送部１８により搬送されるバラ紙幣は識別部２０によりその金種、真偽、表裏、正損、新旧、搬送状態等が識別される（ＳＴＥＰ５）。また、識別部２０により識別されたバラ紙幣は表裏反転部２２によりその表裏が整えられる。そして、識別部２０により正常な紙幣ではないと識別された紙幣、すなわち入金リジェクト紙幣は表裏反転部２２から搬送部１８によりバラ紙幣投出部２４に送られる。上述したように、バラ紙幣投出部２４は、識別部２０により正常なバラ紙幣ではないと識別されたバラ紙幣を筐体１０の外部に排出するための入金リジェクト部として機能するようになっている。そして、投入部１４に投入されたバラ紙幣が全て筐体１０内に繰り出されると、バラ紙幣投出部２４に設けられたシャッター２４ａが開かれるようになり、操作者はバラ紙幣投出部２４に集積された入金リジェクト紙幣を手動で取り出し、投入部１４に再投入等することができるようになる。
【００６３】
一方、識別部２０により正常な紙幣であると識別されたバラ紙幣は、表裏反転部２２から搬送部１８により入金一時保留部３０に送られ、この入金一時保留部３０で一時的に保留されるようになる（ＳＴＥＰ５）。そして、投入部１４に投入されたバラ紙幣が全て筐体１０内に繰り出されて入金一時保留部３０またはバラ紙幣投出部２４に送られることにより、投入部１４において載置板１４ａ上のバラ紙幣が残留検知センサ１４ｂにより検知されなくなると（ＳＴＥＰ６の「ＮＯ」）、操作表示部８２には操作者に対して入金確定の指令を促すメッセージが表示される。そして、操作表示部８２に表示される当該メッセージを見た操作者が操作表示部８２により入金確定の指令を入力すると（ＳＴＥＰ７の「ＹＥＳ」）、入金一時保留部３０から紙幣繰出繰入部３０ｂによりバラ紙幣が１枚ずつ搬送部１８に繰り出され、当該搬送部１８により各バラ紙幣収納部３２に例えば金種毎にバラ紙幣が送られる。このことにより、投入部１４に投入されたバラ紙幣が各バラ紙幣収納部３２に金種毎に収納されるようになる。一方、投入部１４において載置板１４ａ上のバラ紙幣が残留検知センサ１４ｂにより検知されなくなった後（ＳＴＥＰ６の「ＮＯ」）、操作者が操作表示部８２により入金確定の指令ではなく返却の指令を入力すると（ＳＴＥＰ７の「ＮＯ」およびＳＴＥＰ９の「ＹＥＳ」）、入金一時保留部３０から紙幣繰出繰入部３０ｂによりバラ紙幣が１枚ずつ搬送部１８に繰り出され、この繰り出されたバラ紙幣は搬送部１８によりバラ紙幣投出部２４に送られるようになる。そして、入金一時保留部３０に一時的に保留されているバラ紙幣が全てバラ紙幣投出部２４に送られるとシャッター２４ａが開くようになる。このことにより、操作者はバラ紙幣投出部２４から返却紙幣を取り出すことができるようになる（ＳＴＥＰ１０）。
【００６４】
なお、本実施の形態による紙幣処理装置１では、投入部１４の載置板１４ａ上に載置されているバラ紙幣が繰出部１５により筐体１０の内部に繰り出されている最中に、図８に示すように操作者は追加紙幣を投入部１４に投入することができるようになっている。このような投入部１４への追加投入が行われる場合には、投入部１４の内部への操作者のアクセスがアクセス検知部１７により検知されるようになる。
【００６５】
ここで、本実施の形態による紙幣処理装置１において上述したバラ紙幣の入金処理が行われている間に、金属検知部１６により金属が検知されると（ＳＴＥＰ３の「ＹＥＳ」）、投入部１４の内部への操作者のアクセスがアクセス検知部１７により検知されている場合には（ＳＴＥＰ１１の「ＹＥＳ」）、判定手段８６は投入部１４に投入されたバラ紙幣の束に金属が含まれていると判定しない。アクセス検知部１７が投入部１４の内部への操作者のアクセスを検知している状態で金属検知部１６により金属が検知された場合には、図８に示すように投入部１４に紙幣の追加投入を行う操作者の手に装着されている金属製の装飾品（図８において参照符号Ｍで表示）が金属検知部１６により検知された可能性があるため、投入部１４に投入されたバラ紙幣の束に金属が含まれていると判定手段８６が判定しないことにより、判定手段８６による誤判定を防止することができるようになる。この場合には、繰出部１５による紙幣の繰出動作が停止させられることなく（ＳＴＥＰ４）、紙幣処理装置１においてバラ紙幣の入金処理が引き続き行われるようになる。
【００６６】
これに対し、金属検知部１６により金属が検知されたときに（ＳＴＥＰ３の「ＹＥＳ」）、投入部１４の内部への操作者のアクセスがアクセス検知部１７により検知されていない場合には（ＳＴＥＰ１１の「ＮＯ」）、図７に示すように投入部１４に投入されたバラ紙幣の束に金属（図７において参照符号Ｓで表示）が含まれていると考えられるため、判定手段８６は投入部１４に投入されたバラ紙幣の束に金属が含まれていると判定する（ＳＴＥＰ１２）。この場合には、制御部８０は、繰出部１５による紙幣の繰出動作を停止させるよう当該繰出部１５の制御を行う（ＳＴＥＰ１３）。このことにより、投入部１４に投入されたバラ紙幣の束に含まれている金属が繰出部１５により筐体１０の内部に繰り出されてしまうことを防止することができる。また、制御部８０は、判定手段８６による判定結果に係る情報を出力し、出力された情報を操作表示部８２に表示させる（ＳＴＥＰ１４）。このことにより、操作表示部８２には、例えば「入金口に異物（金属）があります。取り除いてください。」という警告メッセージがポップアップ表示されるようになる。なお、制御部８０により出力された、判定手段８６による判定結果に係る情報は、記憶部８４に記憶されたり、あるいは通信インターフェース部８８を介して上位端末としての管理装置１００に送信されたりするようになっていてもよい。
【００６７】
そして、操作表示部８２にポップアップ表示された警告メッセージを見た操作者が投入部１４の内部から金属を取り除き、金属検知部１６により金属が検知されなくなると（ＳＴＥＰ１５の「ＹＥＳ」）、操作表示部８２にポップアップ表示された警告メッセージが消え、紙幣処理装置１は待機状態となる。なお、この際に、操作表示部８２において投入部１４から金属が取り除かれた旨のメッセージがポップアップ表示されるようになっていてもよい。そして、操作者が操作表示部８２の表示画面における例えばスタートボタンを押下することにより入金処理開始の指令を制御部８０に与えると（ＳＴＥＰ１の「ＹＥＳ」）、紙幣処理装置１において紙幣の入金処理が再開されるようになる。このように、本実施の形態では、投入部１４に投入された紙幣の束に金属が含まれていると判定手段８６により判定されたときに（ＳＴＥＰ１２）、繰出部１５による紙幣の繰出動作が停止するようになっている（ＳＴＥＰ１３）。また、投入部１４に投入された紙幣の束に金属が含まれていると判定手段８６により判定されている状態では（ＳＴＥＰ１５の「ＮＯ」）、停止されている繰出部１５が動作しないようになっている。
【００６８】
以上のような構成からなる本実施の形態の紙幣処理装置１によれば、投入部１４に投入されたバラ紙幣の束に含まれる金属を検知するための金属検知部１６および投入部１４への操作者のアクセスを検知するためのアクセス検知部１７がそれぞれ設けられており、判定手段８６は、アクセス検知部１７が投入部１４への操作者のアクセスを検知していない状態で金属検知部１６により金属が検知されたときに投入部１４に投入されたバラ紙幣の束に金属が含まれていると判定するようになっている。このことにより、投入部１４にバラ紙幣の投入を行う（具体的には、例えば投入部１４へのバラ紙幣の追加投入を行う）操作者の手に金属製の装飾品が装着されている場合に、投入部１４に投入された紙幣の束に金属が含まれていると誤って判定されてしまうことを防止することができる。
【００６９】
また、本実施の形態の紙幣処理装置１においては、上述したように、制御部８０は、投入部１４に投入されたバラ紙幣の束に金属が含まれていると判定手段８６により判定されたときに当該判定手段８６による判定結果に関する情報を出力する出力手段として機能するようになっている。このことにより、出力手段としての制御部８０により出力された、判定手段８６による判定結果が操作者に報知されるようになるため、当該操作者は投入部１４から金属を迅速に取り出すことができるようになる。
【００７０】
また、本実施の形態の紙幣処理装置１においては、上述したように、判定手段８６は、アクセス検知部１７が投入部１４への操作者のアクセスを検知している状態で金属検知部１６により金属が検知されたときに投入部１４に投入されたバラ紙幣の束に金属が含まれていると判定しないようになっている。
【００７１】
また、本実施の形態の紙幣処理装置１においては、上述したように、投入部１４に投入されたバラ紙幣の束に金属が含まれていると判定手段８６により判定されたときに繰出部１５によるバラ紙幣の繰出動作が停止するようになっている。このことにより、投入部１４に投入されたバラ紙幣の束に含まれている金属が繰出部１５により筐体１０の内部に繰り出されてしまうことを防止することができる。
【００７２】
また、本実施の形態の紙幣処理装置１においては、上述したように、投入部１４に投入されたバラ紙幣の束に金属が含まれていると判定手段８６により判定されている状態では、停止されている繰出部１５が動作しないようになっている。このことにより、投入部１４に投入されたバラ紙幣の束に含まれている金属が繰出部１５により筐体１０の内部に繰り出されてしまうことを防止することができる。ここで、本実施の形態では、金属検知部１６により金属が検知されることによって投入部１４に投入されたバラ紙幣の束に金属が含まれていると判定手段８６により判定されたときに繰出部１５によるバラ紙幣の繰出動作が停止した場合に限られず、別の要因により繰出部１５によるバラ紙幣の繰出動作が最初から停止している場合にも、投入部１４に投入されたバラ紙幣の束に金属が含まれていないと判定手段８６により判定されるようになるまで、停止されている繰出部１５が動作しないようになっていてもよい。
【００７３】
また、本実施の形態の紙幣処理装置１においては、上述したように、アクセス検知部１７は、発光素子１７ａおよび受光素子１７ｂを含む光センサを有しており、発光素子１７ａから発せられた光が受光素子１７ｂにより受けられる際の当該光の経路の少なくとも一部が投入部１４に位置しており、発光素子１７ａから発せられた光が遮断されて受光素子１７ｂにより受けられなくなったときに投入部１４への操作者のアクセスが検知されるようになっている。
【００７４】
なお、本発明による紙幣処理装置１やこのような紙幣処理装置１に設けられた紙幣投入機構１２、このような紙幣処理装置１および管理装置１００を備えた紙幣処理システムは、上述したような態様に限定されることはなく、様々な変更を加えることができる。
【００７５】
例えば、本発明に係る紙幣投入機構１２を単体で用いることができるようになっており、本発明の発明特定事項が紙幣投入機構１２に全て含まれるようになっていてもよい。この場合には、アクセス検知部１７が投入部１４への操作者のアクセスを検知していない状態で金属検知部１６により金属が検知されたときに投入部１４に投入されたバラ紙幣の束に金属が含まれているか否かを判定する判定手段や、投入部１４に投入されたバラ紙幣の束に金属が含まれていると判定手段により判定されたときに当該判定手段による判定結果に関する情報を出力する出力手段が、それぞれ紙幣投入機構１２に設けられるようになる。ここで、紙幣投入機構１２に設けられる判定手段や出力手段は、図３に示す紙幣処理装置１における判定手段８６や制御部８０における出力手段と略同一の機能を果たすようになる。このような紙幣投入機構１２によれば、上述した紙幣処理装置１と同様に、投入部１４への操作者のアクセスを検知していない状態で金属検知部１６により金属が検知されたときに投入部１４に投入されたバラ紙幣の束に金属が含まれていると判定することにより、投入部１４へのバラ紙幣の投入を行う操作者の手に金属製の装飾品が装着されている場合に、投入部１４に投入されたバラ紙幣の束に金属が含まれていると誤って判定されてしまうことを防止することができる。
【００７６】
また、上述した紙幣処理装置１および管理装置１００を組み合わせることにより本発明に係る紙幣処理システムが構成されるようになっている場合には、アクセス検知部１７が投入部１４への操作者のアクセスを検知していない状態で金属検知部１６により金属が検知されたときに投入部１４に投入されたバラ紙幣の束に金属が含まれているか否かを判定する判定手段や、投入部１４に投入されたバラ紙幣の束に金属が含まれていると判定手段により判定されたときに当該判定手段による判定結果に関する情報を出力する出力手段が、紙幣処理装置１ではなく管理装置１００に設けられていてもよい。この場合、判定手段のみが管理装置１００に設けられ、紙幣処理装置１の制御部８０が上記の出力手段の機能を果たすようになっていてもよく、あるいは、判定手段および出力手段の両方が管理装置１００に設けられていてもよい。また、更に別の紙幣処理システムの例では、上記の判定手段が紙幣処理装置１に設けられるとともに、上記の出力手段が管理装置１００に設けられるようになっていてもよい。
【００７７】
また、変形例に係る紙幣処理装置１や紙幣投入機構１２において、アクセス検知部１７が投入部１４への操作者のアクセスを検知しているときには金属検知部１６が作動しないようになっていてもよい。具体的には、図８に示すように操作者が投入部１４に追加のバラ紙幣を投入するために当該投入部１４の内部に手を入れ、アクセス検知部１７により投入部１４への操作者のアクセスが検知されると、金属検知部１６としての磁気センサや静電容量計等に電力が供給されなくなったりこれらの磁気センサや静電容量計等のスイッチが自動でオフとされたりすることにより、金属検知部１６としての磁気センサや静電容量計等が作動しないようになる。この場合には、投入部１４にバラ紙幣の追加投入を行う操作者の手に金属製の装飾品が装着されていてもこの金属製の装飾品が金属検知部１６により検知されなくなる。
【００７８】
また、更に別の変形例に係る紙幣処理装置１や紙幣投入機構１２において、投入部１４の前面に面する開口（すなわち、バラ紙幣の入金口）を開閉するシャッターおよび当該シャッターの開閉状態を検知する開閉検知センサが設けられていてもよい。そして、シャッターにより投入部１４の前面開口が開かれた場合にのみ、操作者は投入部１４の内部にアクセスし、この投入部１４にバラ紙幣の束を投入することができるようになる。一方、繰出部１５によるバラ紙幣の繰出動作は、シャッターにより投入部１４の前面開口が閉じられているときに行われるようになっている。また、操作者が投入部１４にバラ紙幣の追加投入を行う場合には、繰出部１５によるバラ紙幣の繰出動作を一旦停止させた後、シャッターを移動させて投入部１４の前面開口を開いた後にバラ紙幣を持った手を当該投入部１４の内部に入れるようになる。このような紙幣処理装置１や紙幣投入機構１２では、判定手段８６は、シャッターにより投入部１４の前面開口が開かれている状態で金属検知部１６により金属が検知されたときに、投入部１４に投入されたバラ紙幣の束に金属が含まれていると判定しないようになっていてもよい。すなわち、判定手段８６は、シャッターにより投入部１４の前面開口が閉じられている状態で金属検知部１６により金属が検知されたときにのみ、投入部１４に投入されたバラ紙幣の束に金属が含まれていると判定するようになっていてもよい。シャッターにより投入部１４の前面開口が開かれている状態では、操作者が投入部１４にバラ紙幣の追加投入を行っていると考えられるため、判定手段８６が上記の方法で投入部１４に投入されたバラ紙幣の束に金属が含まれているか否かを判定する場合には、投入部１４にバラ紙幣の投入を行う操作者の手に金属製の装飾品が装着されておりこの金属製の装飾品が金属検知部１６により検知された際に、投入部１４に投入されたバラ紙幣の束に金属が含まれていると誤判定されてしまうことを防止することができる。
【００７９】
また、上記の説明では、本発明に係る紙葉類投入機構、紙葉類処理装置、紙葉類処理システムおよび紙葉類処理方法として、紙幣の処理を行うことができるものが用いられる例について述べたが、本発明に係る紙葉類投入機構、紙葉類処理装置、紙葉類処理システムおよび紙葉類処理方法はこのような例に限定されることはない。本発明に係る紙葉類投入機構、紙葉類処理装置、紙葉類処理システムおよび紙葉類処理方法として、紙幣以外の紙葉類（例えば、商品券や小切手等）の処理を行うことができるものが用いられてもよい。
【００８０】
また、硬貨の入金処理や出金処理等を行う硬貨処理装置において、筐体の内部から外部に硬貨を投出するための硬貨投出部に、金属を検知するための金属検知部および硬貨投出部への操作者のアクセスを検知するためのアクセス検知部をそれぞれ設けてもよい。この場合、硬貨処理装置に設けられた制御部は、アクセス検知部が硬貨投出部への操作者のアクセスを検知していない状態で金属検知部により金属が検知されたときにのみ、硬貨投出部に取り忘れ硬貨が存在すると判定するようになっていてもよい。この場合には、制御部による上記の判定結果が当該制御部から出力され、出力された判定結果に関する情報が例えば表示部に表示されることにより、操作者は硬貨投出部に取り忘れ硬貨が存在することに気づくことができるようになり、よって硬貨投出部からの硬貨の取り忘れを防止することができるようになる。
【符号の説明】
【００８１】
１      紙幣処理装置
１０    筐体
１０ａ  前扉
１１    引出ユニット
１２    紙幣投入機構
１４    投入部
１４ａ  載置板
１４ｂ  残留検知センサ
１５    繰出部
１５ａ  フィードローラ
１５ｂ  ゲートローラ
１５ｃ、１５ｄ  キッカローラ
１６    金属検知部
１７    アクセス検知部
１７ａ  発光素子
１７ｂ  受光素子
１８    搬送部
２０    識別部
２２    表裏反転部
２４    バラ紙幣投出部
２４ａ  シャッター
２４ｂ  シャッター駆動部
２６    出金リジェクト部
３０    入金一時保留部
３０ａ  ステージ
３０ｂ  紙幣繰出繰入部
３２    バラ紙幣収納部
３２ａ  ステージ
３２ｂ  紙幣繰出繰入部
４０    整理一時保留部
４２    帯封部
４４    アーム機構
４６    帯封紙幣揚送部
４６ａ  ステージ
４８    帯封紙幣投出部
４８ａ  シャッター
４８ｂ  シャッター駆動部
６０    帯封紙幣搬送部
６０ａ  突起
６０ｂ  循環ベルト
６２    判別部
７０    帯封紙幣収納部
７０ａ  ステージ
８０    制御部
８２    操作表示部
８４    記憶部
８６    判定手段
８８    通信インターフェース部
１００  管理装置
【図１】
0006503252.tif 000002
【図２】
0006503252.tif 000003
【図３】
0006503252.tif 000004
【図４】
0006503252.tif 000005
【図５】
0006503252.tif 000006
【図６】
0006503252.tif 000007
【図７】
0006503252.tif 000008
【図８】
0006503252.tif 000009
【図９】
0006503252.tif 000010